(57)【要約】【課題】ある画像に付加されたフラグを、異なる表示端末の間において共有することができる画像表示システムを提供する。【解決手段】画像データが記憶されたデータサーバ５と、このデータサーバ５から取得された画像データに基づく画像が表示され、画像に操作者がフラグを付加する複数の表示端末６と、これら各表示端末６において前記フラグが付加された画像の画像データを特定する特定情報と前記フラグの情報とを記憶する情報共有サーバ３と、を備え、前記表示端末６には、前記データサーバ５から取得された画像データが、前記情報共有サーバ３に記憶された前記特定情報によって特定される画像データと一致する場合に、この画像データに基づく画像にフラグが付加されて表示されることを特徴とする。【選択図】図１
2014071565.tif 000002
【特許請求の範囲】
【請求項１】
画像データが記憶されたサーバと、
該サーバから取得された画像データに基づく画像が表示され、該画像に操作者が付加情報を付加する表示端末と、
前記付加情報が付加された画像の画像データを特定する特定情報と前記付加情報とを記憶する情報共有部と、
を備え、
前記情報共有部には、複数の前記表示端末で付加された付加情報及び前記特定情報が記憶可能であり、
前記表示端末には、前記サーバから取得された画像データが、前記情報共有部に記憶された前記特定情報によって特定される画像データと一致する場合に、該画像データに基づく画像に付加情報が付加されて表示される
ことを特徴とする画像表示システム。
【請求項２】
前記情報共有部は、情報共有サーバであることを特徴とする請求項１に記載の画像表示システム。
【請求項３】
前記情報共有部は、可搬型記憶媒体であることを特徴とする請求項１に記載の画像表示システム。
【請求項４】
前記可搬型記憶媒体は、前記表示端末と接続されることを特徴とする請求項３に記載の画像表示システム。
【請求項５】
前記サーバに記憶された前記画像データを識別する識別情報を含むメタデータが記憶されたデータインデックスサーバと、
前記表示端末の画像取得要求に基づいて、対応する前記画像データのメタデータを前記データインデックスサーバから取得し、前記識別情報と該識別情報に対応する画像データが記憶されたサーバの位置情報とに基づいて画像データの所在を特定して、前記サーバから前記画像データを取得し該画像データに基づく画像を前記表示端末に表示させる表示サーバと、
を備え、
前記表示サーバは、前記情報共有部から前記特定情報及び前記付加情報を取得して、前記サーバから取得された画像データが、前記特定情報によって特定される画像データと一致する場合に、該画像データに基づいて前記表示端末に表示される画像に前記付加情報を付加して表示させる
ことを特徴とする請求項１〜４のいずれか一項に記載の画像表示システム。
【請求項６】
前記表示サーバは、前記表示端末において前記付加情報が付加されると、前記情報共有部に、前記付加情報が付加された画像の画像データの特定情報と前記付加情報とを記憶する動作を行なうことを特徴とする請求項５に記載の画像表示システム。
【請求項７】
前記情報共有部には、一つ又は複数のデータインデックスサーバに記憶されたメタデータに含まれる識別情報が前記特定情報として記憶されていることを特徴とする請求項５又は６に記載の画像表示システム。
【請求項８】
前記表示サーバは、アクセス権を有するデータインデックスサーバに接続して前記メタデータの取得を行なう一方で、アクセス権を有するデータインデックスサーバ及びアクセス権を有しないデータインデックスサーバに記憶されたメタデータに対応する画像データの特定情報及び前記付加情報を前記情報共有部から取得することを特徴とする請求項５〜７のいずれか一項に記載の画像表示システム。
【請求項９】
前記表示サーバには、前記情報共有部に対するアクセス権が設定されていることを特徴とする請求項５〜８のいずれか一項に記載の画像表示システム。
【請求項１０】
互いにネットワークによって接続された前記サーバ、前記表示サーバ及び前記表示端末を複数有することを特徴とする請求項５〜９のいずれか一項に記載の画像表示システム。
【請求項１１】
前記特定情報は、前記識別情報であることを特徴とする請求項５〜１０のいずれか一項に記載の画像表示システム。
【請求項１２】
前記特定情報は、前記識別情報及びデータインデックスサーバのＵＲＬであることを特徴とする請求項５〜１０のいずれか一項に記載の画像表示システム。
【請求項１３】
前記表示端末は、前記サーバに対して画像取得要求を行なって、該サーバから画像データを取得して該画像データに基づく画像を表示し、前記情報共有部から前記特定情報及び前記付加情報を取得して、前記サーバから取得された画像データが、前記特定情報によって特定される画像データと一致する場合に、該画像データに基づいて表示される画像に前記付加情報を付加して表示することを特徴とする請求項１〜４のいずれか一項に記載の画像表示システム。
【請求項１４】
前記表示端末は、前記付加情報が付加されると、前記情報共有部に、前記付加情報が付加された画像の画像データの特定情報と前記付加情報とを記憶する動作を行なうことを特徴とする請求項１３に記載の画像表示システム。
【請求項１５】
表示端末には、前記情報共有部に対するアクセス権が設定されていることを特徴とする請求項１３又は１４に記載の画像表示システム。
【請求項１６】
前記特定情報は、前記画像データの所在を示すＵＲＩであることを特徴とする請求項１〜１５のいずれか一項に記載の画像表示システム。
【請求項１７】
画像データが記憶されたサーバから取得された画像データに基づく画像が表示され、該画像に操作者が付加情報を付加する画像表示装置であって、
前記付加情報が付加された画像の画像データを特定する特定情報と前記付加情報とを記憶する情報共有部であって、複数の前記画像表示装置で付加された付加情報及び前記特定情報を記憶可能な情報共有部に記憶された情報のうち、前記特定情報によって特定される画像データが前記サーバから取得された画像データと一致する場合に、該画像データに基づく画像に付加情報が付加されて表示される
ことを特徴とする画像表示装置。
【請求項１８】
前記サーバと、
該サーバに記憶された前記画像データを識別する識別情報を含むメタデータが記憶されたデータインデックスサーバと、
前記表示端末の画像取得要求に基づいて、対応する前記画像データのメタデータを前記データインデックスサーバから取得し、前記識別情報と該識別情報に対応する画像データが記憶されたサーバの位置情報とに基づいて画像データの所在を特定して、前記サーバから前記画像データを取得し該画像データに基づく画像を前記画像表示装置に表示させる表示サーバであって、前記情報共有部から前記特定情報及び前記付加情報を取得して、前記サーバから取得された画像データが、前記特定情報によって特定される画像データと一致する場合に、該画像データに基づいて前記表示端末に表示される画像に前記付加情報を付加して表示させる前記表示サーバと、
を備えた画像表示システムを構成することを特徴とする請求項１７に記載の画像表示装置。
【発明の詳細な説明】
【技術分野】
【０００１】
本発明は、サーバ（ｓｅｒｖｅｒ）に記憶された画像データに基づく画像を表示端末に表示する画像表示システム及び画像表示装置に関する。
【背景技術】
【０００２】
サーバに記憶された画像データに基づく画像が表示端末に表示される画像表示システムがある。例えば特許文献１に開示された画像表示システムでは、データインデックスサーバ（ｄａｔａ  ｉｎｄｅｘ  ｓｅｒｖｅｒ）に画像アドレス（ａｄｒｅｓｓ）が記憶されている。そして、データインデックスサーバの画像アドレスに基づいて画像データの所在が特定され、この画像データに基づく画像が表示端末に表示される。
【先行技術文献】
【特許文献】
【０００３】
【特許文献１】特開２００８−７１１６３号公報
【発明の概要】
【発明が解決しようとする課題】
【０００４】
ところで、操作者が、表示端末に表示された画像に、フラグ（ｆｌａｇ）などの付加情報を付加した場合に、その画像が他の表示端末に表示された時にもフラグを表示させたい場合がある。従って、ある画像に付加されたフラグを、異なる表示端末の間において共有することができる画像表示システム及び画像表示装置が望まれている。
【課題を解決するための手段】
【０００５】
上述の課題を解決するためになされた発明は、画像データが記憶されたサーバと、このサーバから取得された画像データに基づく画像が表示され、該画像に操作者が付加情報を付加する表示端末と、前記付加情報が付加された画像の画像データを特定する特定情報と前記付加情報とを記憶する情報共有部と、を備え、前記情報共有部には、複数の前記表示端末で付加された付加情報及び前記特定情報が記憶可能であり、前記表示端末には、前記サーバから取得された画像データが、前記情報共有部に記憶された前記特定情報によって特定される画像データと一致する場合に、該画像データに基づく画像に付加情報が付加されて表示されることを特徴とする画像表示システムである。
【０００６】
また、他の発明は、画像データが記憶されたサーバから取得された画像データに基づく画像が表示され、該画像に操作者が付加情報を付加する画像表示装置であって、前記付加情報が付加された画像の画像データを特定する特定情報と前記付加情報とを記憶する情報共有部であって、複数の前記画像表示装置で付加された付加情報及び前記特定情報を記憶可能な情報共有部に記憶された情報のうち、前記特定情報によって特定される画像データが前記サーバから取得された画像データと一致する場合に、該画像データに基づく画像に付加情報が付加されて表示されることを特徴とする画像表示装置である。
【発明の効果】
【０００７】
上記観点の発明によれば、前記表示端末又は前記画像表示装置において前記付加情報が付加された画像の画像データを特定する特定情報と前記付加情報とを記憶する情報共有部を備えており、前記表示端末又は前記画像表示装置には、前記情報共有部に記憶された前記特定情報に基づいて、該当する画像に付加情報が付加して表示されるので、ある表示端末又は画像表示装置において付加された付加情報を他の表示端末又は画像表示装置にも表示することができる。
【図面の簡単な説明】
【０００８】
【図１】第一実施形態の画像表示システムの構成を示すブロック図である。
【図２】第一実施形態の画像表示システムの作用を示すフローチャートである。
【図３】表示端末に表示された画像の一覧を示す図である。
【図４】フラグのアイコンをドラックアンドドロップすることによるフラグの付加を説明する図である。
【図５】フラグが付加された画像を示す図である。
【図６】第一実施形態の変形例の画像表示システムの構成を示すブロック図である。
【図７】第一実施形態の変形例の画像表示システムの作用を示すフローチャートである。
【図８】第一実施形態の変形例の画像表示システムにおいて、フラグを付加した表示端末とは異なる表示端末に、可搬型記憶媒体を接続した状態を示す図である。
【図９】第二実施形態の画像表示システムの構成を示すブロック図である。
【図１０】第二実施形態の変形例の画像表示システムの構成を示すブロック図である。
【図１１】第三実施形態の画像表示システムの構成を示すブロック図である。
【図１２】第三実施形態の画像表示システムの作用を示すフローチャートである。
【図１３】表示端末に表示されたウェブページの画像を示す図である。
【図１４】ウェブページの画像にフラグが付加された状態を示す図である。
【図１５】第三実施形態の変形例の画像表示システムの構成を示すブロック図である。
【図１６】第三実施形態の変形例の画像表示システムの作用を示すフローチャートである。
【図１７】第三実施形態の変形例の画像表示システムにおいて、フラグを付加した表示端末とは異なる表示端末に、可搬型記憶媒体を接続した状態を示す図である。
【図１８】実施形態の画像表示システムの構成の他例を示すブロック図である。
【発明を実施するための形態】
【０００９】
以下、本発明の実施形態について説明する。
（第一実施形態）
先ず、第一実施形態について図１〜図５に基づいて説明する。図１に示す画像表示システム１は、施設Ｘ，Ｙ，Ｚにおいて画像を表示するシステムであり、データインデックスサーバ（ｄａｔａ  ｉｎｄｅｘ  ｓｅｒｖｅｒ）２、情報共有サーバ３を備えている。前記データインデックスサーバ２は、ここでは二つ図示されている（データインデックスサーバ２Ａ，２Ｂ）。
【００１０】
前記施設Ｘ，Ｙ，Ｚは、例えば病院や診療所などの医療施設である。前記施設Ｘ，Ｙ，Ｚは、表示サーバ４、データサーバ５、表示端末６を有している。具体的には、前記施設Ｘは、表示サーバ４Ｘ、データサーバ５Ｘ、表示端末６Ｘを有し、前記施設Ｙは、表示サーバ４Ｙ、データサーバ５Ｙ、表示端末６Ｙを有している。また、前記施設Ｚは、表示サーバ４Ｚ、データサーバ５Ｚ、表示端末６Ｚを有している。
【００１１】
前記各施設Ｘ，Ｙ，Ｚにおいて、前記表示サーバ４、前記データサーバ５及び前記表示端末６は、ＬＡＮ（Ｌｏｃａｌ  Ａｒｅａ  Ｎｅｔｗｏｒｋ）によって接続されている。また、前記表示サーバ４Ｘ，４Ｙは、前記データインデックスサーバ２Ａ及び前記情報共有サーバ３とＶＰＮ（Ｖｉｒｔｕａｌ  Ｐｒｉｖａｔｅ  Ｎｅｔｗｏｒｋ）や専用線などによるネットワークによって接続されている。また、前記表示サーバ４Ｘは前記データサーバ５ＹとＶＰＮや専用線などによるネットワークによって接続され、前記表示サーバ４Ｙは前記データサーバ５ＸとＶＰＮや専用線などによるネットワークによって接続されている。
【００１２】
前記表示サーバ４Ｚは、前記データインデックスサーバ２Ｂ及び前記情報共有サーバ３とＶＰＮや専用線などによるネットワークによって接続されている。
【００１３】
前記データインデックスサーバ２Ａ，２Ｂ、前記情報共有サーバ３、前記表示サーバ４及び前記データサーバ５は、サーバとして公知の構成を有しており、ここでは詳細な構成の説明を省略する。前記画像表示システム１が、例えばＸＤＳ（Ｃｒｏｓｓ−Ｅｎｔｅｒｐｒｉｓｅ  Ｄｏｃｕｍｅｎｔ  Ｓｈａｒｉｎｇ）を実施するシステムである場合、前記データインデックスサーバ２Ａ，２Ｂは、レジストリサーバ（ｒｅｇｉｓｔｒｙ  ｓｅｒｖｅｒ）であり、前記表示サーバ４は、コンシューマサーバ（ｃｏｎｓｕｍｅｒ  ｓｅｒｖｅｒ）である。また、前記データサーバ５は、例えばリポジトリサーバ（ｒｅｐｏｓｉｔｏｒｙ  ｓｅｖｅｒ）である。
【００１４】
前記データサーバ５には、画像データが記憶されている。前記データサーバ５は、本発明におけるサーバの実施の形態の一例である。前記画像データは、例えば医療用の画像データである。この医療用の画像データは、医療施設や検体検査を行なう検査施設などにおいて作成される患者に関係するデータであり、医用画像のデータ、文書のデータ、数値のデータなどである。医用画像のデータは、前記施設Ｘ，Ｙ，Ｚにおける部門システムのモダリティ（ｍｏｄａｌｉｔｙ）等で取得されたデータであり、例えばＸ線ＣＴ（Ｃｏｍｐｕｔｅｄ  Ｔｏｍｏｇｒａｐｈｙ）画像、ＭＲＩ（Ｍａｇｎｅｔｉｃ  Ｒｅｓｏｎａｎｃｅ  Ｉｍａｇｉｎｇ）画像、超音波画像などのデータである。文書のデータは、例えば読影レポート、診療情報提供書、手術同意書や検査同意書などの同意書、問診票、申込書、検査結果などのデータである。文書のデータには、紙の文書をスキャンしてデータ化されたＰＤＦ（Ｐｏｒｔａｂｌｅ  Ｄｏｃｕｍｅｎｔ  Ｆｏｒｍａｔ）データなども含まれる。また、数値のデータは、患者に関する数値のデータであり、例えば血液検査などの検査結果を示す数値のデータである。
【００１５】
前記医療用のデータには、上述において列記された前記医用画像のデータや前記文書のデータの他、心電図などの患者の生体情報の経過記録、その他患者に関係する記録のデータなども含まれる。
【００１６】
前記画像データのメタデータ（ｍｅｔａｄａｔａ）は、前記データインデックスサーバ２Ａ，２Ｂに記憶されている。これらデータインデックスサーバ２Ａ，２Ｂは、本発明におけるデータインデックスサーバの実施の形態の一例である。前記画像データが医療用のデータである場合、メタデータは、例えば患者の氏名、患者ＩＤ、日付、文書種、文書分類、依頼科、Ｕｎｉｑｕｅ  ＩＤ、前記データサーバ５のサーバＩＤなど、複数の属性の付随情報からなる。
【００１７】
ちなみに、「付随情報」という語は、具体的な氏名、患者ＩＤ、日付、文書種、文書分類、依頼科を意味し、属性は、これら付随情報の属性を意味する。例えば、「文書種」という属性の付随情報は、「ＣＴ」、「ＭＲＩ」などであり、「依頼科」という属性の付随情報は、「放射線科」、「循環器科」などである。メタデータは、属性の情報（例えば、「文書種」という情報）と、その属性の具体的な情報（すなわち付随情報、例えば「ＣＴ」という情報）とを含む概念である。
【００１８】
メタデータにおける日付は、例えば医療用のデータの作成日である。メタデータにおける日付には、日のみならず、年や時刻などが含まれていてもよい。医用画像のデータであれば、撮影日を作成日としてもよい。また、文書のデータであれば、文書を作成した日が作成日であってもよいし、文書をスキャンしてデータ化した日が作成日であってもよい。
【００１９】
前記メタデータにおける文書種は、医療用のデータの種類を示す情報であり、例えばＭＲＩ、ＵＳ（Ｕｌｔｒａｓｏｕｎｄ）などの医用画像の種類や、入院同意書、入院申込書、入院問診票、検査同意書、手術同意書などの文書の種類を示す情報である。また、前記メタデータにおける文書分類は、例えば同意書など、文書種の上位の概念を示す情報である。
【００２０】
前記メタデータにおける依頼科は、例えば放射線科、循環器科など、医療用のデータの作成を依頼した科を示す情報である。
【００２１】
前記メタデータにおけるＵｎｉｑｕｅ  ＩＤ（以下、「ＵＩＤ」と云う）は、画像データを識別するための情報である。このＵＩＤは、本発明における識別情報の実施の形態の一例である。また、前記メタデータにおける前記データサーバ５のサーバＩＤは、前記データサーバ５を識別するための情報である。
【００２２】
前記データインデックスサーバ２Ａには、前記データサーバ５Ｘ、前記データサーバ５Ｙに記憶された画像データのメタデータが記憶されている。従って、前記データインデックスサーバ２Ａは、前記データサーバ５Ｘ，５Ｙに記憶された画像データのメタデータを管理するサーバである。
【００２３】
また、前記データインデックスサーバ２Ｂには、前記データサーバ５Ｚに記憶された画像データのメタデータが記憶されている。従って、前記データインデックスサーバ２Ｂは、前記データサーバ５Ｚに記憶された画像データのメタデータを管理するサーバである。
【００２４】
前記表示サーバ４には、前記データサーバ５のＵＲＬ（Ｕｎｉｆｏｒｍ  Ｒｅｓｏｒｓｅ  Ｌｏｃａｔｏｒ）と前記データサーバ５のＩＤとの対応情報ｃｉが記憶されている。また、前記表示サーバ４には、表示サーバ４がアクセスする前記データインデックスサーバ２のＵＲＬが記憶されている。ここでは、前記表示サーバ４Ｘ，４Ｙは、前記データインデックスサーバ２Ａに対するアクセス権を有し、前記表示サーバ４Ｚは、前記データインデックスサーバ２Ｂに対するアクセス権を有する。従って、前記表示サーバ４Ｘ，４Ｙには、前記データインデックスサーバ２ＡのＵＲＬが記憶されている。また、前記表示サーバ４Ｚには、前記データインデックスサーバ２ＢのＵＲＬが記憶されている。
【００２５】
また、前記情報共有サーバ３には、後述するようにフラグが付加された画像の画像データのＵＩＤが、フラグの情報とともに記憶されている。フラグの情報は、フラグが付加されていることを示す。前記表示サーバ４及び前記情報共有サーバ３の機能については後述する。前記表示サーバ４は、本発明における表示サーバの実施の形態の一例である。また、前記情報共有サーバ３は、本発明における情報共有部及び情報共有サーバの実施の形態の一例である。また、ＵＩＤは、本発明において画像データを特定する特定情報の実施の形態の一例である。さらに、前記フラグ及び前記フラグの情報は、本発明における付加情報の実施の形態の一例である。
【００２６】
情報共有サーバ３には、アクセス（ａｃｃｅｓｓ）権が設定された表示サーバ４のみがアクセスすることができる。図１に示された表示サーバ４Ｘ，４Ｙ，４Ｚには、前記情報共有サーバ３に対するアクセス権が設定されている。後述するように、前記表示サーバ４Ｘ，４Ｙ，４Ｚは、前記表示端末６Ｘ，６Ｙ，６Ｚにおいてフラグの付加が行われると、フラグが付加された画像の画像データのＵＩＤをフラグの情報とともに前記情報共有サーバ３に記憶する動作を行なう。従って、前記情報共有サーバ３には、前記表示端末６Ｘ，６Ｙ，６Ｚにおいて付加されたフラグの情報が記憶可能である。
【００２７】
前記表示端末６は、汎用型のパーソナルコンピュータ（Ｐｅｒｓｏｎａｌ  Ｃｏｍｐｕｔｅｒ）であり、コンピュータとして公知の構成を有している。前記表示端末６は、本発明における表示端末及び画像表示装置の実施の形態の一例である。
【００２８】
本例の画像表示システム１の作用について説明する。先ず、表示端末６に画像を表示させる場合の作用について、図２のフローチャートに基づいて説明する。ここでは、医療用のデータに基づく画像を表示させる場合について説明する。医療用のデータに基づく画像は、前記医用画像のデータに基づく医用画像、前記文書のデータに基づく文書画像、前記数値のデータに基づく数値画像などである。
【００２９】
図２において、ステップＳ１では、前記表示端末６において、操作者は画像を表示させたい患者Ｐの患者ＩＤを入力する。次に、ステップＳ２では、前記表示端末６は、前記患者ＩＤを前記表示サーバ４に出力して画像の取得要求を行なう。前記表示端末６からの画像の取得要求を受けた前記表示サーバ４は、前記患者Ｐの患者ＩＤを含む全てのメタデータを、前記データインデックスサーバ２から取得する。ちなみに、前記表示サーバ４は、取得されたメタデータが、どのデータインデックスサーバ２から取得されたかを認識している。
【００３０】
また、前記表示サーバ４は、後述するように、前記フラグの情報及び前記ＵＩＤを、前記情報共有サーバ３から取得する。前記情報共有サーバ３から取得される情報は、前記患者Ｐについての情報だけではなく、患者Ｐ以外の患者について、前記情報共有サーバ３に記憶されている全ての情報である。
【００３１】
前記ステップＳ２において、前記表示サーバ４は、アクセス先として記憶されているデータインデックスサーバ２にアクセスしてメタデータの取得を行なう。一方、前記ステップＳ２において、前記表示サーバ４は、アクセス権が設定されたデータインデックスサーバ２に記憶されたメタデータのＵＩＤのほか、アクセス権が設定されていないデータインデックスサーバに記憶されたメタデータのＵＩＤを前記情報共有サーバ３から取得する場合がある。
【００３２】
次に、ステップＳ３では、前記表示サーバ４は、前記表示端末６に患者Ｐの医療用のデータに基づく画像Ｉを表示させる。具体的には、前記表示サーバ４は、先ず前記ステップＳ２において取得されたメタデータに含まれるサーバＩＤに対応する前記データサーバ５のＵＲＬを前記対応情報ｃｉに基づいて特定する。そして、前記データサーバ５のＵＲＬ及び前記ＵＩＤによって画像データの所在を特定して、データサーバ５から画像データを取得する。
【００３３】
前記表示サーバ４は、前記データサーバ５から取得された画像データに基づいて、図３に示すように前記表示端末６に画像Ｉを表示させる。ここでは、画像Ｉの一覧Ｖを表示させる。
【００３４】
前記一覧Ｖは、前記画像Ｉが日付ごと及び文書種ごとにマトリックス（ｍａｔｒｉｘ）状に並んだ画像である。ここでは、各文書種の画像Ｉが列方向に並び、各日付の画像Ｉが行方向に並んでいる。前記画像Ｉはサムネイル画像（ｔｈｕｍｂｎａｉｌ）画像などである。前記表示サーバ４は、前記データサーバ５の画像データを適切な画素数（サイズ：ｓｉｚｅ）に変換してサムネイル画像を作成する。
【００３５】
また、前記画像Ｉとして表示される医療用のデータが数値のデータである場合、前記表示サーバ４は数値のデータの内容を示す画像を作成し、この画像を前記画像Ｉとして表示させる。例えば、数値のデータの内容を示す画像は、数値のデータの内容を示す文字からなる画像である。一例をあげると、血液検査の数値のデータについては、「血液検査」の文字からなる画像が、前記画像Ｉとして表示される。
【００３６】
前記一覧Ｖにおいて表示された画像Ｉを、操作者が表示端末の入力部（図示省略）を用いてクリックすることにより、拡大された画像が表示されるようになっていてもよい。
【００３７】
操作者は、前記表示端末６に表示された一覧Ｖにおける画像Ｉに、フラグを付加することができる。このフラグは、操作者が画像Ｉに対して何らかの情報を与えるために付加される。ちなみに、前記フラグには、与える情報の内容に応じた複数の種類があってもよい。
【００３８】
フラグを付加する場合の作用について詳しく説明する。先ず、図４に示すように、フラグを付加したい画像Ｉに対して、フラグのアイコンＩｃｆをドラッグアンドドロップ（ｄｒａｇ  ａｎｄ  ｄｒｏｐ）する。ちなみに、図４では、フラグのアイコンＩｃｆが三つ表示されており、三種類のフラグを設定することができるようになっている。ここでは、フラグＦＬの色が三種類である。
【００３９】
フラグのアイコンＩｃｆがドラッグアンドドロップされることにより、図５に示すようにフラグＦＬが画像Ｉに付加される。
【００４０】
前記画像Ｉに前記フラグＦＬが付加されると、前記表示サーバ４は、フラグＦＬが付加された画像Ｉの画像データのＵＩＤをフラグＦＬの情報とともに前記情報共有サーバ３に送信する。フラグＦＬの情報には、フラグＦＬの種類を識別するための情報が含まれる。前記表示サーバ４から送信されたＵＩＤは、前記フラグＦＬの情報とともに情報共有サーバ３に記憶される。このようにして情報共有サーバ３に記憶されたＵＩＤ及びフラグＦＬの情報が、前記ステップＳ２において前記表示サーバ４によって取得される。
【００４１】
前記ステップＳ３において、前記表示サーバ４は、前記データサーバ５から取得された画像データが、前記ステップＳ２において前記情報共有サーバ３から取得されたＵＩＤによって特定される画像データと一致する場合に、この画像データに基づいて前記表示端末６に表示される画像にフラグを付加して表示させる。すなわち、前記ステップＳ３において、前記表示サーバ４は、先ず前記ステップＳ２において前記情報共有サーバ３から取得されたＵＩＤに基づいて、フラグＦＬが付加された画像Ｉの画像データを特定する。次に、前記表示サーバ４は、このようにして特定された画像データに基づいて表示される画像ＩにフラグＦＬを表示する。
【００４２】
本例によれば、同じ情報共有サーバ３にアクセス可能な表示サーバ４と接続された表示端末６であれば、フラグＦＬを共有することができる。より詳細に説明する。例えば、前記データサーバ５Ｘ，５Ｙ，５Ｚに、患者Ｐについて同じ画像Ｉの画像データが記憶されているとする。この場合において、前記施設ＺにおいてフラグＦＬの付加が行われた場合、フラグＦＬが付加された画像ＩのＵＩＤがフラグの情報とともに前記情報共有サーバ３に記憶される。これにより、前記施設Ｚの表示端末６Ｚに患者Ｐの画像Ｉを再び表示する場合のみならず、前記施設Ｘや前記施設Ｙにおいて、前記患者Ｐの画像Ｉが表示端末６Ｘ，６Ｙに表示される場合にも、前記情報共有サーバ３に記憶されたＵＩＤに基づいてフラグＦＬが付加された画像の画像データを特定することができるので、フラグＦＬを表示することができる。このように、本例によれば、施設Ｘ，Ｙ，Ｚのうちのいずれかの施設の表示サーバ４に接続された表示端末６においてフラグＦＬが付加されても、そのフラグＦＬを他の表示サーバ４に接続された表示端末６においても表示することができ、異なる表示サーバ４と接続された表示端末６の間において、フラグＦＬを共有することができる。
【００４３】
ここで、本例とは異なり、フラグが付加された画像の画像データのメタデータにフラグの情報を付加し、このフラグの情報が付加されたメタデータを記憶した場合について説明する。施設Ｘ，Ｙ，Ｚには、ある患者Ｐについて同じ画像Ｉが記憶されており、前記施設Ｚに記憶された画像Ｉについてフラグの付加を行なったとする。また、施設Ｚのみがアクセスすることができるサーバ（図示省略）に、フラグの情報が付加されたメタデータが記憶される。このサーバには、前記表示サーバ４Ｘ，４Ｙはアクセスできないとする。
【００４４】
この場合、表示サーバ４Ｚのみがアクセスすることができるサーバにおいて、フラグの情報が付加されたメタデータが記憶されているので、フラグが付加された同じ画像Ｉであっても、施設Ｘ，Ｙに記憶された画像Ｉを表示する場合には、フラグを表示することができない。一方、本例では、情報共有サーバ３にＵＩＤ及びフラグの情報が記憶されているので、この情報共有サーバ３にアクセスすることができる表示サーバ４であれば、フラグを付加した画像Ｉを表示端末６に表示することができる。
【００４５】
また、本例によれば、前記情報共有サーバ３にはＵＩＤが記憶され、個人を特定する情報は記憶されないので、前記情報共有サーバ３のセキュリティレベルを必ずしも高く設定する必要がない。
【００４６】
次に、第一実施形態の変形例について説明する。図６に示すように、本例の画像表示システム１′は、情報共有サーバ３を備えていない。本例では、フラグが付加された画像の画像データのＵＩＤが、フラグの情報とともに可搬型記憶媒体１０に記憶される。可搬型記憶媒体１０は、例えばＵＳＢ（Ｕｎｉｖｅｒｓａｌ  Ｓｅｒｉａｌ  Ｂｕｓ）メモリ（ｍｅｍｏｒｙ）である。可搬型記憶媒体１０は、前記表示端末６に接続される。
【００４７】
本例の作用について図７のフローチャートに基づいて説明する。この図７のフローチャートは、基本的には図２のフローチャートと同じであるが、ステップＳ２′では、前記表示サーバ４は、フラグの情報とともに記憶されたＵＩＤを、前記表示端末６に接続された可搬型記憶媒体１０から取得する。そして、前記表示サーバ４は、取得したＵＩＤに基づいて、ステップＳ３において、フラグＦＬが付加された画像の画像データを特定して、前記表示端末６にフラグＦＬを表示する。
【００４８】
図６では、施設Ｘの表示端末６Ｘに可搬型記憶媒体１０が接続されている。この状態で前記表示端末６ＸにおいてフラグＦＬの付加が行われ、ＵＩＤがフラグの情報とともに可搬型記憶媒体１０に記憶されたとする。この可搬型記憶媒体１０を、図８に示すように施設Ｙの表示端末６Ｙに接続すると、この表示端末６Ｙにおいて、前記表示端末６Ｘにおいて付加されたフラグＦＬを表示させることができる。具体的には、前記ステップＳ２′において、前記表示サーバ４Ｙは、フラグの情報とともに記憶されたＵＩＤを、前記表示端末６Ｙに接続された可搬型記憶媒体１０から取得する。そして、前記表示サーバ４Ｙは、取得したＵＩＤに基づいて、フラグＦＬが付加された画像の画像データを特定して、前記表示端末６にフラグＦＬを表示する。
【００４９】
本例によれば、可搬型記録媒体１０を表示端末６に接続することによって、他の表示端末６で付加されたフラグＦＬを表示することができ、異なる表示端末６の間において、フラグＦＬを共有することができる。
【００５０】
（第二実施形態）
次に、第二実施形態について、図９に基づいて説明する。第一実施形態と同一の構成については同一の符号を付して示している。図９に示す画像表示システム２０においては、データインデックスサーバ２が一つのみである。また、画像表示システム２０は、前記施設Ｚは有しておらず前記施設Ｘ，Ｙを有している。
【００５１】
本例の画像表示システム２０において、前記画像Ｉの表示及び前記フラグＦＬの付加は、第一実施形態と同様にして行われる。
【００５２】
本例の画像表示システム２０によっても、第一実施形態と同様に、異なる表示端末６の間において、フラグＦＬを共有することができる。
【００５３】
次に第二実施形態の変形例について説明する。図１０に示すように、本例では、第一実施形態の変形例と同様に、情報共有サーバ３を備えておらず、フラグが付加された画像の画像データのＵＩＤが、フラグの情報とともに可搬型記憶媒体１０に記憶される。そして、この可搬型記憶媒体１０に記憶されたＵＩＤに基づいて、前記表示サーバ４がフラグＦＬの表示を行なう。
【００５４】
（第三実施形態）
次に、第三実施形態について、図１１に基づいて説明する。図１１に示す画像表示システム３０は、サーバ３１、表示端末３２、情報共有サーバ３３を備えている。
【００５５】
図１１では、前記サーバ３１は三つ図示されている。また、前記表示端末３２として、図１１では二つの表示端末３２Ａ，３２Ｂが図示されている。前記各サーバ３１及び前記各表示端末３２Ａ，３２Ｂはネットワークによって接続されている。
【００５６】
サーバ３１には、画像データが記憶されている。画像データは、例えばウェブページ（ｗｅｂ  ｐａｇｅ）の画像のデータなどである。前記サーバ３１は、本発明におけるサーバの実施の形態の一例である。
【００５７】
また、前記情報共有サーバ３３には、後述するようにフラグが付加された画像の画像データの所在を示すＵＲＩ（Ｕｎｉｆｏｒｍ  Ｒｅｓｏｕｒｃｅ  Ｉｄｅｎｔｉｆｉｅｒ）が、フラグの情報とともに記憶されている。フラグの情報は、上記各実施形態と同様にフラグが付加されていることを示す。前記ＵＲＩは、本発明において画像データを特定する特定情報の実施の形態の一例である。前記情報共有サーバ３３は、本発明における情報共有部及び情報共有サーバの実施の形態の一例である。
【００５８】
前記サーバ３１及び前記情報共有サーバ３３は、サーバとして公知の構成を有しており、ここでは詳細な構成の説明を省略する。
【００５９】
また、前記表示端末３２Ａ，３２Ｂも、汎用型のパーソナルコンピュータ（Ｐｅｒｓｏｎａｌ  Ｃｏｍｐｕｔｅｒ）であり、コンピュータとして公知の構成を有している。前記表示端末３２Ａ，３２Ｂは、情報共有サーバ３３とネットワークによって接続されている。前記表示端末３２Ａ，３２Ｂは、情報共有サーバ３３に対するアクセス権が設定されている。後述するように、表示端末３２Ａ，３２Ｂは、フラグの付加が行われると、前記ＵＲＩをフラグの情報とともに記憶する動作を行なう。従って、前記情報共有サーバ３３には、前記表示端末３２Ａ，３２Ｂにおいて付加されたフラグの情報が記憶可能である。
【００６０】
また、前記表示端末３２Ａ，３２Ｂには、後述するようにフラグを付加及び表示するためのソフトウェア（ｓｏｆｔｗａｒｅ）がインストール（ｉｎｓｔａｌｌ）されている。前記表示端末３２は、本発明における表示端末及び画像表示装置の実施の形態の一例である。
【００６１】
本例の画像表示システム３０の作用について説明する。先ず、前記表示端末３２に画像を表示させる場合の作用について、図１２のフローチャートに基づいて説明する。ここでは、ウェブページの画像が前記表示端末３２に表示されるものとする。
【００６２】
先ず、ステップＳ１１では、前記表示端末３２において、操作者はＵＲＩを指定する。
【００６３】
次に、ステップＳ１２では、前記表示端末３２は、指定されたＵＲＩを有するサーバ３１に対して画像取得要求を出力して、このサーバ３１から画像データを取得する。また、前記表示端末３２は、後述するようにフラグの情報とともに記憶されたＵＲＩを、前記情報共有サーバ３３から取得する。
【００６４】
次に、ステップＳ１３では、前記ステップＳ１２において取得された画像データに基づくウェブページの画像Ｉが、図１３に示すように前記表示端末３２に表示される。操作者は、前記表示端末３２に表示された画像Ｉに、フラグを付加することができる。
【００６５】
フラグを付加する場合の作用について説明する。図１３において、前記表示端末３２には、フラグのアイコンＩｃｆが表示されている。このフラグのアイコンＩｃｆをクリックすることにより、図１４に示すように画像ＩにフラグＦＬが付加される。
【００６６】
前記画像Ｉに前記フラグＦＬが付加されると、前記表示端末３２は、フラグＦＬが付加された画像Ｉの画像データのＵＲＩをフラグＦＬの情報とともに前記情報共有サーバ３３に送信する。前記表示端末３２から送信されたＵＲＩは、フラグＦＬの情報とともに情報共有サーバ３３に記憶される。このようにして情報共有サーバ３３に記憶されたＵＲＩ及びフラグＦＬの情報が、前記ステップＳ１２において前記表示端末３２によって取得される。
【００６７】
前記ステップＳ１３において、前記表示端末３２は、前記サーバ３１から取得された画像データが、前記ステップＳ１２において前記情報共有サーバ３３から取得されたＵＲＩによって特定される画像データと一致する場合に、この画像データに基づいて前記表示端末６に表示される画像にフラグを付加して表示させる。すなわち、前記表示端末３２は、前記ステップＳ１２において前記情報共有サーバ３３から取得されたＵＲＩと、ステップＳ１１において指定されたＵＲＩとが一致する場合、前記ステップＳ１３において、前記表示端末３２は、前記画像ＩにフラグＦＬを表示する。
【００６８】
本例においても、同じ情報共有サーバ３３にアクセス可能な表示端末３２であれば、フラグＦＬを共有することができる。例えば、前記表示端末３２ＡにおいてフラグＦＬの付加が行われた場合、フラグＦＬが付加された画像ＩのＵＲＩがフラグの情報とともに前記情報共有サーバ３３に記憶される。そして、表示端末３２Ｂに前記フラグＦＬが付加された画像Ｉが表示された場合、フラグＦＬが表示される。
【００６９】
次に、第三実施形態の変形例について説明する。図１５に示すように、本例の画像表示システム３０′は、情報共有サーバ３３を備えていない。本例では、第一、第二実施形態の変形例と同様に、フラグが付加された画像の画像データのＵＲＩが、フラグの情報とともに前記可搬型記憶媒体１０に記憶される。前記可搬型記憶媒体１０は、前記表示端末３２に接続される。
【００７０】
本例の作用について図１６のフローチャートに基づいて説明する。この図１６のフローチャートは、基本的には図１２のフローチャートと同じであるが、ステップＳ１２′では、前記表示端末３２は、フラグの情報とともに記憶されたＵＲＩを、前記表示端末３２に接続された可搬型記憶媒体１０から取得する。そして、前記表示端末３２は、前記サーバ３１から取得された画像データが、前記可搬型記憶媒体１０から取得したＵＲＩによって特定される画像データと一致する場合に、ステップＳ１３において、前記表示端末３２にフラグＦＬを表示する。
【００７１】
図１５では、表示端末３２Ａに可搬型記憶媒体１０が接続されている。この状態で前記表示端末３２ＡにおいてフラグＦＬの付加が行われ、ＵＲＩがフラグの情報とともに可搬型記憶媒体１０に記憶されたとする。この可搬型記憶媒体１０を、図１７に示すように表示端末３２Ｂに接続すると、この表示端末３２Ｂにおいて、前記表示端末３２Ａにおいて付加されたフラグＦＬを表示させることができる。具体的には、前記ステップＳ１２′において、前記表示端末３２Ｂは、フラグの情報とともに記憶されたＵＲＩを前記可搬型記憶媒体１０から取得する。そして、ステップＳ１３において、前記表示端末３２Ｂは、前記サーバ３１から取得された画像データが、前記可搬型記憶媒体１０から取得されたＵＲＩによって特定される画像データと一致する場合、フラグＦＬを表示する。
【００７２】
本例によれば、可搬型記録媒体１０を表示端末３２に接続することによって、他の表示端末３２で付加されたフラグＦＬを表示することができ、異なる表示端末３２の間において、フラグＦＬを共有することができる。
【００７３】
以上、本発明を前記実施形態によって説明したが、本発明はその主旨を変更しない範囲で種々変更実施可能なことはもちろんである。例えば、本発明における付加情報は、前記フラグＦＬに限られるものではなく、例えばタグ（ｔａｇ）であっていてもよい。また、本発明における付加情報は、操作者が入力した文字情報などを含むメモであってもよい。
【００７４】
また、前記第一、第二実施形態において、メタデータはＵＲＩを有していてもよい。この場合、前記情報共有サーバ３又は可搬型記憶媒体１０には、ＵＩＤの代わりにＵＲＩが記憶されてもよい。
【００７５】
また、前記第一、第二実施形態において、ＵＩＤが重複しない場合には、前記情報共有サーバ３にＵＩＤのみが記憶されていればよいが、異なるデータインデックスサーバ２に記憶されたメタデータにおいてＵＩＤが重複することもある場合には、前記情報共有サーバ３及び前記可搬型記憶媒体１０に、ＵＩＤの他に前記データインデックスサーバ２のＵＲＬも記憶される。この場合には、フラグが付加された画像の画像データを特定するために、ＵＩＤ及び前記データインデックスサーバ２のＵＲＬが用いられる。ＵＩＤ及び前記データインデックスサーバ２のＵＲＬは、本発明において画像データを特定する特定情報の実施の形態の一例である。
【００７６】
また、画像表示システム１は、図１８に示す構成であってもよい。図１と異なる点は、前記施設Ｚは、データサーバ５Ｚ−Ａ，５Ｚ−Ｂを有することである。また、各施設Ｘ，Ｙ，Ｚの前記表示サーバ４は、前記データインデックスサーバ２Ａ，２Ｂ及び前記情報共有サーバ３とＶＰＮや専用線などによるネットワークによって接続されている。前記各施設Ｘ，Ｙ，Ｚの前記表示サーバ４は、前記データインデックスサーバ２Ａ，２Ｂにアクセスしてメタデータを取得する。
【００７７】
また、前記表示サーバ４は他の施設のデータサーバ５とＶＰＮや専用線などによるネットワークによって接続されている。
【００７８】
前記データインデックスサーバ２Ａには、前記データサーバ５Ｘ、前記データサーバ５Ｙ及び前記データサーバ５Ｚ−Ａに記憶された画像データのメタデータが記憶されている。従って、前記データインデックスサーバ２Ａは、前記データサーバ５Ｘ，５Ｙ，５Ｚ−Ａに記憶された画像データのメタデータを管理するサーバである。
【００７９】
また、前記データインデックスサーバ２Ｂには、前記データサーバ５Ｚ−Ｂに記憶された画像データのメタデータが記憶されている。従って、前記データインデックスサーバ２Ｂは、前記データサーバ５Ｚ−Ｂに記憶された画像データのメタデータを管理するサーバである。
【符号の説明】
【００８０】
１，２０，３０  画像表示システム
２，２Ａ，２Ｂ  データインデックスサーバ
３，３３  情報共有サーバ（情報共有部）
４  表示サーバ
５  データサーバ
６，３２  表示端末
１０  可搬型記憶媒体（情報共有部）
３１  サーバ
【図１】
2014071565.tif 000003
【図２】
2014071565.tif 000004
【図３】
2014071565.tif 000005
【図４】
2014071565.tif 000006
【図５】
2014071565.tif 000007
【図６】
2014071565.tif 000008
【図７】
2014071565.tif 000009
【図８】
2014071565.tif 000010
【図９】
2014071565.tif 000011
【図１０】
2014071565.tif 000012
【図１１】
2014071565.tif 000013
【図１２】
2014071565.tif 000014
【図１３】
2014071565.tif 000015
【図１４】
2014071565.tif 000016
【図１５】
2014071565.tif 000017
【図１６】
2014071565.tif 000018
【図１７】
2014071565.tif 000019
【図１８】
2014071565.tif 000020